(57)【要約】【課題】選別性能が高い脱穀装置におけるカバーを提供することを課題としている。【解決手段】扱室２内に回転駆動自在に軸支される扱胴１の後方位置に、扱胴１に対して左右方向にオフセットして処理胴７を配置し、処理胴７の前方に、扱胴１の側方に位置する空間１１を形成させ、扱胴１の側方を空間１１を介して側方カバー１４によって覆い、側方カバー１４と処理胴７の側方を覆う処理胴カバー９とを取り付けた状態で両カバー９，１４の外周面が連続して上記空間１１を閉塞するように、処理胴カバー９の外形形状と側方カバー１４の外形形状を断面視で同一形状とした。【選択図】図１
2005124441.tif 000002
【特許請求の範囲】
【請求項１】
扱室（２）内に回転駆動自在に軸支される扱胴（１）と、該扱胴（１）の後方位置において、扱胴（１）に対して左右方向にオフセットして配置され、回転駆動自在に軸支された処理胴（７）とを備え、処理胴（７）の側方を覆う処理胴カバー（９）と扱胴（１）の側方を覆う側方カバー（１４）とを設けた脱穀装置において、処理胴（７）の前方に、扱胴（１）の側方に位置する空間（１１）を形成させ、側方カバー（１４）が該空間（１１）を介して扱胴（１）の側方を覆い、処理胴カバー（９）の外形形状と側方カバー（１４）の外形形状を断面視で同一形状とし、両カバー（９），（１４）が取り付けられた状態で、両カバー（９），（１４）の外周面が連続して上記空間（１１）を閉塞する脱穀装置におけるカバー。
【発明の詳細な説明】
【技術分野】
【０００１】
本発明は、コンバイン等に搭載される脱穀装置におけるカバーに関する。
【背景技術】
【０００２】
従来扱室内に回転駆動自在に軸支される扱胴と、該扱胴の後方位置において、扱胴に対して左右方向にオフセットして配置され、回転駆動自在に軸支された処理胴とを備え、処理胴の側方を覆う処理胴カバーと扱胴の側方を覆う側方カバーとを設けた脱穀装置が公知となっている（例えば特許文献１参照）。
【特許文献１】特開２００２−１３６２１６号公報
【発明の開示】
【発明が解決しようとする課題】
【０００３】
しかし上記脱穀装置は、扱胴の側方に二番処理胴が設けられているため、二番処理胴が妨げになり選別効率が低下する場合があるという欠点があった。
【課題を解決するための手段】
【０００４】
上記課題を解決するための本発明の脱穀装置におけるカバーは、扱室２内に回転駆動自在に軸支される扱胴１と、該扱胴１の後方位置において、扱胴１に対して左右方向にオフセットして配置され、回転駆動自在に軸支された処理胴７とを備え、処理胴７の側方を覆う処理胴カバー９と扱胴１の側方を覆う側方カバー１４とを設けた脱穀装置において、処理胴７の前方に、扱胴１の側方に位置する空間１１を形成させ、側方カバー１４が該空間１１を介して扱胴１の側方を覆い、処理胴カバー９の外形形状と側方カバー１４の外形形状を断面視で同一形状とし、両カバー９，１４が取り付けられた状態で、両カバー９，１４の外周面が連続して上記空間１１を閉塞することを特徴としている。
【発明の効果】
【０００５】
以上のように構成される本発明の構造によると、扱胴及び処理胴によって脱穀された後の処理物（脱穀粒とわら屑等の混合物）の選別を扱胴の直下から扱胴の側方に形成される空間に亘る大きなスペースで行うことができ、特に扱胴の側方側から落下する処理物が上記空間を通過して選別側に送られ、処理物が選別側に均等に落下するため、脱穀（選別）性能を向上させることができるという効果がある。
【０００６】
また両カバーが取り付けられた状態で扱胴の側方に形成される空間が閉塞されるため、両カバーのみで該空間からの処理物の漏れ等を防止することができるという効果の他、側方カバーと処理胴カバーの断面形状が同一であるため、両カバーの合わせ構造を簡単にすることができ、さらに組み立てた状態で両カバーが連続するため、外観上の見栄えが向上するという効果がある。
【発明を実施するための最良の形態】
【０００７】
図１は本発明を採用した脱穀装置の側面図、図２は要部平面断面図である。該脱穀装置は上部に回転駆動自在に軸支された扱胴１を備えた扱室２が設けられており、該扱室２の下方に、扱胴１の下方側を扱胴１の外周に沿って覆う受網３を介して、扱胴１により脱穀処理された後の処理物（脱穀粒とわら屑等の混合物）から籾を選別する選別室４が設けられている。
【０００８】
また扱室２の後方には、該扱室２に対して左右方向にオフセットして処理室６が設けられており、該処理室６内には扱胴１に対して左右方向にオフセットされた処理胴７が回転駆動自在に軸支されて設けられている。これにより処理胴７は扱胴１の後方側に扱胴１に対して左右方向にオフセット配置されている。また処理室６は処理網８によって上記選別室４と区切られており、外側方は処理胴カバー９によって覆われている。
【０００９】
そして上記構造によって処理室６の前方には、扱室２の側方に位置して空間１１が形成され、処理胴７の駆動軸１２が該空間１１を通過して前方に突出され、処理胴７は脱穀装置の前方側に設けられるギヤボックス１３によって駆動される。このとき該空間１１の外側方（扱胴１の反対側）は、側方カバー１４によって覆われている。
【００１０】
一方上記選別室４は、上記受網３によって上記扱室２と区切られているとともに、上記空間１１とつながっており、即ち上記空間１１は選別室４の一部を構成している。そして選別室４内には、扱胴１の直下から上記空間１１の外側の端部に亘り揺動選別体１６が設けられており、該揺動選別体１６の下方に選別風を送風する唐箕ファン１７が設けられている。
【００１１】
これにより上記脱穀装置は、脱穀装置の側方に設けられたフィードチェーン１８により穀稈を搬送し、該穀稈を扱胴１によって脱穀処理して処理物を受網３を介して選別室４に落下させると共に、扱胴１により処理することができず、扱室２側から処理室６側に送られる穂切れ等を処理胴７によって脱穀処理し、処理物を処理網８を介して選別室４に落下させる。このとき扱胴１の側方に上記空間１１が設けられているため、扱胴１の側方側から落下する処理物は上記空間１１を通過して選別室４に落下し、つまり処理物は所定の範囲（例えば扱胴１の直下）に集中して落下することなく、扱胴１の直下から上記空間１１の外側の端部に亘り均等に落下する。
【００１２】
その後扱室２及び処理室６側から選別室４に落下させられる処理物は揺動選別体１６に送られ、揺動選別体１６において順次後方に送られてチャフシーブ１９によって濾過され、さらに唐箕ファン１７によって送風される選別風によって１番物と２番物とに風選される。このとき処理物は扱胴１の直下から上記空間１１の外側の端部に亘り均等に落下するため、揺動選別体１６上に概ね均等に供給される。なお上記チャフシーブ１９は、従来同様複数の開閉自在なフィンを備え、該フィンの開閉により濾過量を設定調節する構成となっている。
【００１３】
また上記脱穀装置には、１番物を収容する１番収容部２１と、１番物として収容されなかった枝梗粒，穂切粒等を含む２番物を収容する２番収容部２２と、前記１番収容部２１に収容された１番物を１番収容部の一端部まで横搬送する１番横らせん２３と、一端部まで横搬送された１番物を揚上搬送する揚上搬送筒２４と、前記２番収容部２２に収容された２番物を２番収容部２２の一端部まで横搬送する２番横らせん２６と、一端部まで横搬送された２番物を揚上搬送して揺動選別体１６に還元する還元搬送筒２７等も備えられている。
【００１４】
これにより上記風選された１番物が１番物収容部２１に、２番物が２番物収容部２２に収容され、その後上記１番物は、１番らせん２３によって１番物収容部２１の端部に搬送され、揚上搬送筒２４に受け継がれ、揚上搬送筒によってグレンタンク等に排出される。また２番物は２番らせん２６によって２番物収容部２２の端部に搬送され、還元搬送筒２７に受け継がれ、還元搬送筒２７内の還元らせん２８を介して揺動選別体１６に還元される。
【００１５】
このとき還元搬送筒２７は、還元らせん２８によって上端側に搬送される２番物を跳ね出す回転駆動自在な跳出板２９と、該跳出板２９を収容して跳出板２９によって跳ね出される２番物を案内する案内部３１とが設けられており、２番物は案内部３１の端部から放出される。そして該案内部３１の端部は、図１〜図３に示されるように、選別室４における上記空間１１の近傍に接続されており、２番物は該空間１１を通過して揺動選別体１６の始端側中央部分に還元される。
【００１６】
上記構造により本脱穀装置は、選別室４が扱胴１の直下から上記空間１１の外側端に亘る大きな幅広なスペースとなり、揺動選別体１６が選別室４の幅いっぱい（扱胴１の直下から上記空間１１の外側端までのサイズ）に亘る幅広のタイプとなっているため、選別面積が大きくなり、選別効率が高いだけでなく、扱胴１からの処理物がほぼ均等に揺動選別体１６に供給され、且つ２番物が上記空間１１を通過して揺動選別体１６の始端側中央部分に還元されるため、２番物が揺動選別体１６上に均等に拡散され、これらにより揺動選別体１６上の処理物の層厚が均等化され、選別性能が向上する。
【００１７】
一方前述の側方カバー９は、図３に示されるように、正面視（扱胴１の回転軸心方向から見て）で、外側の上部が下方に向かう傾斜面３２をなすプレート状をなし、脱穀装置の枠体３３に対して着脱自在となっている。また前述の処理胴カバー９は、図４に示されるように、正面視（処理胴７の回転軸心方向から見て）で、外側の上部が下方に向かう傾斜面３４をなすプレート状をなし、脱穀装置の枠体３３に対して着脱自在となっている。
【００１８】
そして側方カバー１４と処理胴カバー９とは、図３，図４に示されるように、正面視での断面形状が同一であり、また処理室６の前壁３６の端面は処理胴カバー９に沿った形状となっており、これにより両カバー９，１４が取り付けられた状態では、両カバー９，１４は対向する端面同士を突き当てる（両端面を当接させる）又は一方の端面側に他方の端面側を重複させることによって、外周面が連続し、上記空間１１を閉塞する。
【００１９】
この構造により両カバー９，１４を簡単な構造で合わせて上記空間１１を閉塞し、両カバー９，１４で空間１１からの処理物の漏れ等を防止することができ、且つ組立て作業を容易に行うことができる。そして側方カバー１４と処理胴カバー９とを組み立てた（取り付けた）状態では、両カバー９，１４の外周面が同面で連続するため、外観上の見栄えもよい。
【００２０】
また処理胴カバー９及び側方カバー１４に設けられる傾斜面３４，３２によって、扱胴１から跳ね飛ばされる処理物の一部は、傾斜面３２の内面に当たり、円滑に揺動選別体１６上に落下させられ、また傾斜面３２，３４の上面においては、傾斜面３２，３４に沿って脱穀時の藁くず等が滑り落ちるため、カバー９，１４上への藁屑の堆積等も防止される。
【００２１】
さらに上記空間１１内を処理胴７の駆動軸１２が通っているため、側方カバー１４は駆動軸カバーを兼用しており、側方カバー１４を取り外すことによって上記駆動軸１２のメンテナンスを容易に行うことができる。また側方カバー１４の取り外しによって空間１１を介して揺動選別体１６や受網３，扱室２内等のメンテナンスも容易に行うことができ、全体としてメンテナンス性も高い。
【図面の簡単な説明】
【００２２】
【図１】脱穀装置の側面図である。
【図２】脱穀装置の要部平面断面図である。
【図３】空間部分を示す脱穀装置の要部正面断面図である。
【図４】処理胴部分を示す脱穀装置の要部正面断面図である。
【符号の説明】
【００２３】
１      扱胴
２      扱室
７      処理胴
９      処理胴カバー
１１    空間
１４    側方カバー
【図１】
2005124441.tif 000003
【図２】
2005124441.tif 000004
【図３】
2005124441.tif 000005
【図４】
2005124441.tif 000006